(57)【要約】【課題】店舗に設置するサーバーのコストを安価にし、効率的な通信を行うことができる通信システムを提供する。【解決手段】音声及び画像の通信を行う携帯型情報端末機器からの情報を受信する店舗内に設置された通信受付け装置と、前記受付け装置の複数を管理するホストサーバーと、前記ホストサーバーからの情報を発信して他の携帯型情報端末機器へ送信する前記店舗内に設けられた発信装置とを具備し、前記携帯型情報端末機器の認証を前記ホストサーバーで行い、認証の得られたもののみについて通信を行う。【選択図】    図１
2005198122.tif 000002
【特許請求の範囲】
【請求項１】
音声及び画像の通信を行う携帯型情報端末機器からの情報を受信する店舗内に設置された通信受付け装置と、前記受付け装置の複数を管理するホストサーバーと、前記ホストサーバーからの情報を発信して他の携帯型情報端末機器へ送信する前記店舗内に設けられた発信装置とを具備し、前記携帯型情報端末機器の認証を前記ホストサーバーで行い、認証の得られたもののみについて通信を行うようにしたことを特徴とする通信システム。
【請求項２】
前記通信受付け装置と前記発信装置が同一体となっている請求項１に記載の通信システム。
【請求項３】
前記店舗がコンビニエンスストア、ガソリンスタンド、外食産業等である請求項１又は２に記載の通信システム。
【発明の詳細な説明】
【技術分野】
【０００１】
本発明はインターネット電話等の携帯型情報端末機器を用いる通信システムに関するもので、特に店舗内に設置された通信受付け装置では認証を行わず、複数の受付け装置を管理するホストサーバーで認証したものについてのみ通話できるようにした通信システムに関するものである。
【背景技術】
【０００２】
現在インターネットを通じて音声データを送受信し、リアルタイムに会話できるインターネット電話が出現している。このインターネット電話を利用する場合は、通話をする２人はそれぞれインターネットに接続する専用ソフトを搭載した装置を起動しなければならない。
【０００３】
パソコン形式のインターネット電話を図３に基づいて説明する。図３において、１０１は発信者が所有している端末としてのパソコンで、１０２は発信者が加入しているプロバイダーである。発信者がパソコン１０１を使用して電話番号を発信すると、発信者が加入しているプロバイダ１０２を経由してインターネット電話のサーバー１０３へ送信され、このインターネット電話のサーバー１０３へ送信された信号は、通話先が加入しているプロバイダ１０４を経由して通話先のパソコン１０５へ送信される。このインターネット電話を利用する際には、利用のための特別な料金は発生せず、通話する双方は、プロバイダの使用料とプロバイダまでの電話料金を負担するだけなので、国内でも海外でも同じ料金で通話できるというメリットがある。
【０００４】
インターネット電話は通話料金が低廉であり、通話者にとっては魅力的ものである。しかしながら、従来インターネット電話はパソコンが在るところでなければ利用することができないという不都合があり、かかる問題を解決するものとして例えば特開２００２−１２５０７０（特許文献１）に示されるシステムがある。
【０００５】
特許文献１に記載のシステムは図４に示すように、店舗内に設置されているサーバー２ａへ向けて情報を発信することができる携帯型情報機器１ａと、この携帯型情報機器１ａから発信される情報を受信する店舗２内に設置されているサーバー２ａと、この店舗２内に設置されているサーバー２ａから送信されてくる情報を受信するホストサーバー３と、このホストサーバー３から送信されてくる情報を受信するインターネット電話のサーバー４と、このインターネット電話のサーバー４から送信されてくる情報を受信し且つ通話先が加入しているプロバイダー５が設置しているサーバー５ａと、この通話先６が加入しているプロバイダーが設置しているサーバー６ａから送信される情報を受信する通話先の情報機器とを備えたものである。
【特許文献１】特開２００２−１２５０７０
【発明の開示】
【発明が解決しようとする課題】
【０００６】
特許文献１に記載のシステムはサーバー２ａにおいて携帯型情報機器１ａが登録されているか否か、つまり発信人１が会員であるか否かを認証するようにしている。認証はＩＤ、パスワードの入力によって行う。このため、サーバー２ａは、認証機能を具備する必要がある。図５に示すように店舗２は複数が散在して設置されており、各店舗２に設置されるサーバー２ａ１〜２ａｎがそれぞれ認証機能部２ｂ１〜２ｂｎを持つ必要があり、サーバー２ａ１〜２ａｎの価格がその分高くなる問題がある。
【０００７】
本発明は上述のような事情からなされたものであり、本発明の目的は、店舗に設置するサーバーのコストを安価にし、効率的な通信を行うことができる通信システムを提供することにある。
【課題を解決するための手段】
【０００８】
本発明は通信システムに関し本発明の上記目的は、音声及び画像の通信を行う携帯型情報端末機器からの情報を受信する店舗内に設置された通信受付け装置と、前記受付け装置の複数を管理するホストサーバーと、前記ホストサーバーからの情報を発信して他の携帯型情報端末機器へ送信する前記店舗内に設けられた発信装置とを設け、前記携帯型情報端末機器の認証を前記ホストサーバーで行い、認証の得られたもののみについて通信を行うことによって達成される。
【０００９】
また、本発明の上記目的は、前記通信受付け装置と前記発信装置が同一体であることにより、或いは前記店舗がコンビニエンスストア、ガソリンスタンド、外食産業等であることにより、より効果的に達成される。
【発明の効果】
【００１０】
本発明によれば会員の認証をホストサーバーにて行うので、店舗に設置する通信受付け装置の構成を簡易にすることができ、システム構成上のコストダウンを図ることができる。
【発明を実施するための最良の形態】
【００１１】
本発明では、音声及び画像の通信を行う携帯型情報端末機器からの情報を受信する店舗内に設置された通信受付け装置と、前記受付け装置の複数を管理するホストサーバーと、前記ホストサーバーからの情報を発信して他の携帯型情報端末機器へ送信する前記店舗内に設けられた発信装置とを設け、前記携帯型情報端末機器の認証を前記ホストサーバーで行い、認証の得られたもののみについて通信を行うようにしている。店舗内の受付け装置は認証を行わず、通信機能のみを有しているのでシステム的に簡易で安価な構成となる。
【００１２】
以下図面を参照して、本発明の実施の形態を説明する。
【００１３】
図１は本発明のシステム構成例を示しており、音声及び画像の送受信を行う携帯型情報端末機器１０１〜１０ｎは利用者１０が携帯しており、コンビニ等の店舗２０に設置されている通信受付け装置２０１〜２０ｎはそれぞれ携帯型情報端末機器１０１〜１０ｎから無線で発信される情報を受信し、全体の管理を行うと共にインターネット４０に接続されたホストサーバー３０に送信する。ホストサーバー３０が認証を確認して通信の許可が得られた場合は、インターネット４０を経て受信側の店舗５０に設置された発信装置５１から、通信相手６０が携帯している携帯型情報端末機器６１に情報を送信する。
【００１４】
利用者１０が利用する携帯型情報端末機器１０１〜１０ｎは予めシステム運営者と契約されており、ＩＤやパスワード等の認証データ等がホストサーバー３０の記憶部に登録されている。また、店舗２０及び５０は、コンビニエンスストア、ガソリンスタンド、スーパーマーケット、ハンバーガーショップ、或いはファミリーレストラン等の外食産業店舗等で良く、店舗２０及び５０は同一店舗であっても良く、また、通信受付け装置２０１〜２０ｎと発信装置５１とは同一体であっても良い。
【００１５】
このような構成において、その動作を図２のフローチャートを参照して説明する。
【００１６】
携帯型情報端末機器１０１〜１０ｎの利用者１０は通信相手６０に対して情報を発信し、この情報が近傍の店舗２０に設置されている通信受付け装置２０１〜２０ｎによって受信される（ステップＳ１）。通信受付け装置２０１〜２０ｎは受信した携帯型情報端末機器１０１〜１０ｎに対して認証データの入力を要求し（ステップＳ２）、これに対して利用者１０が所定の認証データを入力する（ステップＳ３）。入力された認証データは通信受付け装置２０１〜２０ｎを経てホストサーバー３０に送信されて受信され（ステップＳ４）、ホストサーバー３０はその認証データが登録されているものと一致するか否かを判定する（ステップＳ５）。
【００１７】
判定の結果、認証がＮＧの場合には通信拒否を利用者１０に通知すると共に（ステップＳ６）、再度認証データを入力することを要求する（ステップＳ７）。
【００１８】
一方、上記ステップＳ５における判定の結果、認証データが登録されているものと一致し、正しいものである場合には通信を許可し（ステップＳ１０）、これにより利用者１０と通信相手６０とは、インターネット４０を介して通話することができる。そして、通信終了となるまで通信を継続する（ステップＳ１１）。
【産業上の利用可能性】
【００１９】
本発明によれば携帯型情報端末機器をコンビニ等の店舗に設置した通信受付け装置で利用できると共に、通信受付け装置は認証を行わないので構成を簡易化することができる。また、認証は全体の受付け装置を管理するホストサーバーで行うので、システム構築のコストダウンを図ることができる。
【図面の簡単な説明】
【００２０】
【図１】本発明のシステム構成例を示す図である。
【図２】本発明の動作例を示すフローチャートである。
【図３】従来のパソコン形式のインターネット電話例を示す図である。
【図４】携帯型情報機器を利用したインターネット電話システムの例を示す図である。
【図５】サーバーとホストサーバーの機能を説明するための図である。
【符号の説明】
【００２１】
１                利用者
２                店舗
３                ホストサーバー
４                サーバー
５                プロバイダ
１０              利用者
２０、５０        店舗
３０              ホストサーバー
４０              インターネット
６０              通信相手
１０１、１０５    パソコン
１０２、１０４    プロバイダ
１０３            サーバー
【図１】
2005198122.tif 000003
【図２】
2005198122.tif 000004
【図３】
2005198122.tif 000005
【図４】
2005198122.tif 000006
【図５】
2005198122.tif 000007